(57)【要約】【課題】効率的に収納庫に設置することができる除湿機を提供する。【解決手段】除湿機（１１）は、除湿を行う熱交換器（５）と、圧縮機（６）と、除湿後の空気を外部に導く送風管（９）と、熱交換器（５）へ空気を吸い込んで送風管（９）へ送り出す空気の流れを生じさせる送風機（８）と、熱交換器（５）、圧縮機（６）、送風機（８）および送風管（９）を収納する本体部（１２）および張出部（１３）とを備える。送風機（８）は熱交換器（５）に対して空気の流れの下流側に熱交換器（５）と対向するように配置され、送風管（９）は熱交換器（５）および送風機（８）の下方に配置され、圧縮機（６）は、熱交換器（５）、送風機（８）および送風管（９）の側方に配置される。張出部（１３）の底面には、空気を吸い込む吸込口（１３３）が形成され、張出部（１３）の前面には、送風管（９）に送り出された空気を吹き出す吹出口（１３１）が形成されている。【選択図】図６
2017223403.tif 000002
【特許請求の範囲】
【請求項１】
外部より吸い込んだ空気を熱交換することにより除湿する熱交換器と、
前記熱交換器に圧縮した冷媒を供給する圧縮機と、
前記熱交換器によって除湿された空気を外部に導く送風管と、
前記熱交換器へ空気を吸い込んで前記送風管へ送り出す空気の流れを生じさせる送風機と、
前記熱交換器、前記圧縮機、前記送風機および前記送風管を収納する筐体とを備え、
前記送風機は、前記熱交換器に対して空気の流れの下流側に前記熱交換器と対向するように配置され、
前記送風管は、前記熱交換器および前記送風機の下方に配置され、
前記圧縮機は、前記熱交換器、前記送風機および前記送風管の側方に配置され、
前記筐体の底面には、外部より空気を吸い込む吸込口が形成され、
前記筐体の前面には、前記送風管に送り出された空気を前記吸込口より前方で吹き出す吹出口が形成されていることを特徴とする除湿機。
【請求項２】
前記吸込口は、前記筐体の後端面から前方に間隔をおいた位置に形成されていることを特徴とする請求項１に記載の除湿機。
【請求項３】
前記熱交換器と前記送風管との間に配置され、前記熱交換器による除湿によって生じた排水を受ける排水受け部をさらに備え、
前記排水受け部はホースを接続可能な排水口を有していることを特徴とする請求項１または２に記載の除湿機。
【請求項４】
前記吸込口は、前記送風管を下方に投影した範囲内に形成され、
前記筐体には、前記吸込口から前記送風管の側方を経て前記熱交換器に対して空気の流れの上流側に通じる通風経路が形成されていることを特徴とする請求項１から３のいずれか１項に記載の除湿機。
【請求項５】
前記筐体の側方において、前記吸込口から前記熱交換器に対して空気の流れの上流側に通じる通風経路を形成する空気導入部材をさらに備えていることを特徴とする請求項１から３のいずれか１項に記載の除湿機。
【請求項６】
請求項１から５のいずれか１項に記載の除湿機と、
前記除湿機を少なくとも前記吸込口を開放した状態で載置する底板を有する収納庫とを備えていることを特徴とする乾燥システム。
【請求項７】
前記除湿機は前記収納庫の内部における後ろ側に配置され、
前記収納庫の内部における前記送風管よりも上方の前側に収納空間が形成されていることを特徴とする請求項６に記載の乾燥システム。
【請求項８】
前記収納庫は、前記除湿機の前記吹出口の前方に前記吹出口から所定の間隔をおいて配置された物干し棒を有していることを特徴とする請求項６または７に記載の乾燥システム。
【請求項９】
除湿機と、
前記除湿機を内蔵する収納庫とを備え、
前記除湿機は、
外部より吸い込んだ空気を熱交換することにより除湿する熱交換器と、
前記熱交換器に圧縮した冷媒を供給する圧縮機と、
前記熱交換器によって除湿された空気を外部に導く送風管と、
前記熱交換器へ空気を吸い込んで前記送風管へ送り出す空気の流れを生じさせる送風機と、
前記熱交換器、前記圧縮機、前記送風機および前記送風管を収納する筐体とを備え、
前記送風機は、前記熱交換器に対して空気の流れの下流側に前記熱交換器と対向するように配置され、
前記送風管は、前記熱交換器および前記送風機の下方に配置され、
前記圧縮機は、前記熱交換器、前記送風機および前記送風管の側方に配置され、
前記筐体には、外部より空気を吸い込む吸込口が少なくとも２つ形成され、
前記筐体には、前記送風管に送り出された空気を吹き出す吹出口が形成されており、
前記吸込口の一方が前記収納庫の外部から空気を吸い込み、前記吸込口の他方が前記収納庫の内部で空気を吸い込み、
前記吹出口が前記収納庫の内部で空気を吹き出すことを特徴とする乾燥システム。
【発明の詳細な説明】
【技術分野】
【０００１】
本発明は、収納庫内に設置可能な除湿機に関する。
【背景技術】
【０００２】
特許文献１には、洗面室において下着等の小物の洗濯物を乾燥させるニーズのあることが記載されている。また、特許文献１には、このようなニーズを満たす乾燥機として、洗面化粧台の側方に付属する収納庫に乾燥庫を設けるシステムが開示されている。このシステムでは、洗面化粧台の上部に設けられた暖房機から吹き出される空気を乾燥庫に供給し、乾燥庫内の洗濯物を乾燥させる。
【先行技術文献】
【特許文献】
【０００３】
【特許文献１】特開２０１０−４６２４５号公報（２０１０年３月４日公開）
【特許文献２】特開２００６−２７１７８８号公報（２００６年１０月１２日公開）
【発明の概要】
【発明が解決しようとする課題】
【０００４】
特許文献１に開示されたシステムでは、洗面化粧台の側方に、乾燥庫を内蔵した収納庫が設けられているので、比較的大きな幅を必要とする。このため、上記のシステムは、比較的広い洗面室にしか設置できない。また、上記のシステムは、暖房機を上部に有する洗面化粧台と、乾燥庫を内蔵する収納庫とが一体に構成されたユニット型のシステムであって、暖房機から収納庫に循環した空気を洗面室外に排出する排気ダクトを備える必要があるので、既築の施設への導入が難しい。しかも、上記のシステムは、洗濯物を乾燥できる範囲が乾燥庫内に限定されているので、小さい洗濯物をごく少量しか乾燥することができない。
【０００５】
このような不都合を解消するシステムとしては、特許文献２に開示されているように、洗面化粧台の上部に設けられたボックス本体の中央に温風を吹き出す送風機が組み込まれたものがある。このようなシステムでは、上述の側方の収納庫を有していないので、狭い洗面室にも設置が可能である。
【０００６】
しかしながら、特許文献２のシステムでは、ボックス本体の中央に送風機が配置されているので、ボックス本体が送風機によって分断されることで収納幅が狭くなっている。このため、ボックス本体には、大きい幅を有する収納物を収納することができないという不具合があった。また、このようなシステムは、それぞれを組み合わせるために設計された専用のボックス本体およびヒーターを備える構成であるので、一般的な収納庫にヒーターを組み込んで構成することができない。
【０００７】
また、特許文献２のシステムでは、送風によって洗濯物を乾燥させるものの、湿度が高まりやすい狭い洗面室では、送風のみで効率的な乾燥を行うことができない。
【０００８】
そこで、一般的な据置型の除湿機を洗面室における乾燥に用いることが考えられる。しかしながら、狭い洗面室に除湿機を置くと邪魔になる。また、除湿機を洗面台の上部に設けられた収納庫に設置しようとしても、比較的高さのある除湿機では、収納庫へ設置できない。また、一般的な除湿機は、背面や側面から空気を吸い込むので、収納庫の壁に接触するように配置することができないために無駄にスペースを占有するだけでなく、上方に空気を吹き出す構造を有するので、洗面室内に送風することが難しい。
【０００９】
本発明は、前記の問題点に鑑みてなされたものであり、その目的は、効率的に収納庫に設置することができる除湿機を提供することにある。
【課題を解決するための手段】
【００１０】
上記の課題を解決するために、本発明の一態様に係る除湿機は、外部より吸い込んだ空気を熱交換することにより除湿する熱交換器と、前記熱交換器に圧縮した冷媒を供給する圧縮機と、前記熱交換器によって除湿された空気を外部に導く送風管と、前記熱交換器へ空気を吸い込んで前記送風管へ送り出す空気の流れを生じさせる送風機と、前記熱交換器、前記圧縮機、前記送風機および前記送風管を収納する筐体とを備え、前記送風機は、前記熱交換器に対して空気の流れの下流側に前記熱交換器と対向するように配置され、前記送風管は、前記熱交換器および前記送風機の下方に配置され、前記圧縮機は、前記熱交換器、前記送風機および前記送風管の側方に配置され、前記筐体の底面には、外部より空気を吸い込む吸込口が形成され、前記筐体の前面には、前記送風管に送り出された空気を前記吸込口より前方で吹き出す吹出口が形成されている。
【発明の効果】
【００１１】
本発明の一態様によれば、効率的に収納庫に設置することができる除湿機を提供することができるという効果を奏する。
【図面の簡単な説明】
【００１２】
【図１】（ａ）は本発明の実施形態１に係る洗面化粧台の構成を示す正面図であり、（ｂ）は当該洗面化粧台の構成を一部断面にて示す側面図である。
【図２】上記洗面化粧台の上部収納庫および上部収納庫内に設置された除湿機を示す斜視図である。
【図３】上記洗面化粧台に設置された除湿機を用いて洗濯物を乾燥している状態を示す上記洗面化粧台の側面図である。
【図４】実施形態２に係る除湿機の外観構成を示す斜視図である。
【図５】実施形態２に係る除湿機を組み込んだ上記上部収納庫を斜め下方から見た斜視図である。
【図６】（ａ）は実施形態２に係る除湿機の前面パネルを外した状態を示す正面図であり、（ｂ）は当該除湿機を示す下面図であり、（ｃ）は（ｂ）のＡ−Ａ線矢視断面図である。
【図７】実施形態２に係る除湿機の内部構造を示す縦断面図である。
【図８】実施形態２に係る除湿機内の空気の流れを示す上記除湿機の断面斜視図である。
【図９】実施形態３に係る除湿機の外観構成を示す斜視図である。
【図１０】実施形態３に係る除湿機を組み込んだ上記上部収納庫を斜め下方から見た斜視図である。
【図１１】（ａ）は実施形態３に係る除湿機の前面パネルを外した状態を示す正面図であり、（ｂ）は当該除湿機を示す下面図である。
【図１２】実施形態３に係る除湿機の内部構造を示す縦断面図である。
【図１３】実施形態３に係る除湿機内の空気の流れを示す上記除湿機の断面斜視図である。
【図１４】実施形態３の変形例に係る玄関収納の内部構造を示す正面図である。
【発明を実施するための形態】
【００１３】
〔実施形態１〕
以下、本発明の実施形態１について、図１〜図３に基づいて詳細に説明する。
【００１４】
本発明の実施形態１に係る洗面化粧台１００について、図１に基づいて説明する。図１の（ａ）は実施形態１に係る洗面化粧台１００の構成を示す正面図であり、図１の（ｂ）は洗面化粧台１００の構成を一部断面にて示す部分断面側面図である。図２は、洗面化粧台１００の上部収納庫１０４（収納庫）および上部収納庫１０４内に設置された除湿機１を示す斜視図である。
【００１５】
図１の（ａ）および（ｂ）に示すように、洗面化粧台１００は、下部収納庫１０１と、洗面台１０２と、鏡部１０３と、上部収納庫１０４（乾燥システム）とを備えている。図１の（ａ）に示すように、下部収納庫１０１、洗面台１０２、鏡部１０３および上部収納庫１０４は、全て同じ幅を有している。
【００１６】
下部収納庫１０１は、床の上に設置されている。下部収納庫１０１は、前面に２枚の開閉扉１０１ａを有しており、内部に物品を収納するために設けられている。また、下部収納庫１０１内には、洗面台１０２からの排水を外部に導く排水管１０５が配置されている。
【００１７】
洗面台１０２は、下部収納庫１０１の上部に設けられており、洗面ボウル１０２ａと、水栓１０２ｂと、吐水部１０２ｃとを有している。洗面ボウル１０２ａの排水口は、上記の排水管１０５に接続されている。
【００１８】
鏡部１０３は、洗面台１０２の後ろ側の上部に配置されている。鏡部１０３は、薄い箱体１０３ａと、当該箱体１０３ａの前面に設けられた３枚の鏡１０３ｂ〜１０３ｄと、照明１０３ｅとを有している。鏡１０３ｂ〜１０３ｄは、箱体１０３ａにヒンジ（図示せず）によって開閉自在に取り付けられている。箱体１０３ａ内の鏡１０３ｂ〜１０３ｄによって開閉される空間には、歯ブラシ、化粧品等の小物を収納する収納部（図示せず）が形成されている。照明１０３ｅは、鏡１０３ｂ〜１０３ｄの上に配置されており、箱体１０３ａの前面における上端部に取り付けられている。照明１０３ｅは、主に洗面台１０２および鏡１０３ｂ〜１０３ｄを照らす。
【００１９】
上部収納庫１０４は、鏡部１０３上に配置されており、内部に物品を収納するために設けられている。図１の（ａ）および（ｂ）と図２とに示すように、上部収納庫１０４は、天板１０４ａと、２枚の側板１０４ｂと、裏板１０４ｃと、底板１０４ｄと、２枚の開閉扉１０４ｅと、仕切裏板１０４ｆと、仕切底板１０４ｇと、物干し棒１０４ｈを有している。なお、図２において、便宜上、開閉扉１０４ｅが省略されている。
【００２０】
２枚の側板１０４ｂは、それぞれ天板１０４ａの両端縁から下方に向けて互いに平行となるように配置されている。裏板１０４ｃは、天板１０４ａの後端縁から下方に向けて配置されている。また、底板１０４ｄは、裏板１０４ｃの下端縁から前方に向けて配置されている。底板１０４ｄは、天板１０４ａよりも奥行きが短く、その前端縁が上述の照明１０３ｅの前端面とほぼ同じ位置にある。２枚の開閉扉１０４ｅは、上部収納庫１０４の前面に設けられており、それぞれ側板１０４ｂの前端縁にヒンジ（図示せず）によって開閉自在に取り付けられている。このようにして、上部収納庫１０４は、外観が箱状に構成されている。
【００２１】
また、仕切裏板１０４ｆは、天板１０４ａの前端縁と後端縁との間のほぼ中央から下方に向けて開閉扉１０４ｅよりも高い位置に達するように配置されている。仕切底板１０４ｇは、仕切裏板１０４ｆの下端縁から前方に向けて開閉扉１０４ｅの付近まで達するように配置されている。物干し棒１０４ｈの両端は、仕切底板１０４ｇの下方かつ開閉扉１０４ｅの付近において、それぞれ２枚の側板１０４ｂに固定されている。
【００２２】
このように構成される上部収納庫１０４において、天板１０４ａ、側板１０４ｂ、開閉扉１０４ｅ、仕切裏板１０４ｆおよび仕切底板１０４ｇで囲まれる空間が収納空間ＣＬとなる。また、上部収納庫１０４において、天板１０４ａ、側板１０４ｂ、裏板１０４ｃ、底板１０４ｄ、仕切裏板１０４ｆおよび仕切底板１０４ｇによって形成される空間が除湿機１を配置する空間となる。
【００２３】
除湿機１は、筐体を構成する本体部２および張出部３を備えている。本体部２は、仕切裏板１０４ｆの背後に配置されており、底板１０４ｄ上に載置されるとともに、固定金具４によって裏板１０４ｃに固定されている。張出部３は、上述の鏡部１０３よりも前方に張り出した部分であり、前方に吹出口３１を有するとともに、下面に吸込口３３を有している。また、本体部２および張出部３の内部には、除湿機能を実現するための、熱交換器、圧縮機、送風機、送風管等が内蔵されており、吸込口３３から取り込んだ空気を熱交換器および圧縮機によって除湿し、送風機および送風管を通じて吹出口３１から外部に吹き出す。なお、除湿機１の詳細な構成については、後述する実施形態２および３において説明する。
【００２４】
また、除湿機１は、熱交換器の熱交換によって空気から分離された水を排出するための排水口７１を有している。この排水口７１と上述の排水管１０５とをホース１０６によって接続しておけば、排水口７１から排出される水をホース１０６および排水管１０５を通じて自動的に排出することができる。なお、熱交換器からの水を受ける構造については、実施形態１において詳しく説明する。
【００２５】
図３は、洗面化粧台１００に設置された除湿機を用いて洗濯物Ｌを乾燥している状態を示す洗面化粧台１００の側面図である。図３を参照して、上記のように構成される洗面化粧台１００を用いた洗濯物Ｌの乾燥について説明する。
【００２６】
図３に示すように、上部収納庫１０４における物干し棒１０４ｈに洗濯物Ｌを吊るしておく。この状態で除湿機１が動作すると、吸込口３３から破線矢印にて示すように吸い込んだ空気を除湿して、吹出口３１より実線矢印にて示すように除湿機１の前方（好ましくは斜め下向き）に吹き出す。また、物干し棒１０４ｈは、吹出口３１と間隔をおいて配置されている。これにより、洗濯物Ｌのほぼ全体に乾燥した空気を当てることができる。また、除湿機１が乾燥した空気を吹き出すことにより、洗面化粧台１００が設置された洗面室内の除湿（乾燥）を促すことができるので、衛生面でも好ましい。したがって、特許文献１のシステムのようにヒーターの温風で洗濯物Ｌを乾燥するよりも、消費電力を低減することができる。また、特許文献２のシステムのように送風によって乾燥するよりも、効率的（短時間）に洗濯物Ｌを乾燥することができる。
【００２７】
また、除湿機１は、上部収納庫１０４の開閉扉１０４ｅ付近で洗面室の天井Ｃから吊り下げた物干しハンガー２００に吊るした洗濯物Ｌも、吹出口３１と適度な距離を確保して効率的に乾燥することができる。また、開閉扉１０４ｅを開いた状態にすれば、吹出口３１の前方に、乾燥した空気を開閉扉１０４ｅに妨げられることなく吹き出すことができる。これにより、物干しハンガー２００によって、図３に示す位置よりも高い位置で洗濯物Ｌを乾燥することができる。
【００２８】
天井Ｃに物干しハンガー２００を吊り下げる余地がない場合は、物干し棒１０４ｈを利用して洗濯物Ｌを乾燥するので、ごく限られた面積の洗面室において洗濯物Ｌを乾燥することができる。これにより、洗面室に物干しスタンドを置く必要がないので、洗濯物Ｌを干している間も洗面化粧台１００を使用することができる。
【００２９】
以上のように、洗面化粧台１００は、除湿機１が上部収納庫１０４の内部における後ろ側および前側の下方にわたって設置されている。これにより、特許文献１に記載されたシステムや一般的な除湿機と異なり、除湿機１を設置するために洗面室において余分なスペースを必要とすることがなく、かつ上部収納庫１０４の内部における前側の上方に収納空間ＣＬを確保することができる。また、収納空間ＣＬが特許文献２に記載されたシステムのように中間部分で分断されるようなことがなく、上部収納庫１０４を有効に活用することができる。
【００３０】
図１の（ｂ）に示すように、除湿機１が上部収納庫１０４に組み込まれた状態では、吸込口３３が鏡部１０３によって塞がれずに開放されている。これにより、吸込口３３に取り付けられたフィルターを容易に取り外すことができ、ユーザによるフィルターの手入れがしやすくなる。
【００３１】
なお、上部収納庫１０４は、洗面化粧台１００の一部として設けられるが、洗面化粧台１００と別体に設けられてもよい。例えば、洗面室において、例えば洗濯機の上に設置すれば、洗濯機から取り出した洗濯物をそのまま上部収納庫１０４に干すことができる。あるいは、上部収納庫１０４を有していない既設の洗面化粧台に、除湿機１を内蔵した上部収納庫１０４を組み合わせることができる。
【００３２】
また、上部収納庫１０４は、一般的な収納庫と部品とを共通化することができる。除湿機１を上部収納庫１０４に組み込まない場合、上部収納庫１０４から仕切裏板１０４ｆおよび仕切底板１０４ｇを取り外し、底板１０４ｄを天板１０４ａと同サイズの底板と交換すれば、一般的な収納庫として使用することができる。したがって、一般的な収納庫を必要とする場合に、上部収納庫１０４を転用することにより、コストを低減することができる。
【００３３】
上記のように、除湿機１を上部収納庫１０４内に設置し、かつ適度な大きさの収納空間ＣＬを確保するには、除湿機１の小型化が必要となる。除湿機１を小型化するための構造については、以降の実施形態２および３において詳細に説明する。
【００３４】
〔実施形態２〕
本発明の実施形態２について図４〜図８を用いて説明すれば、以下のとおりである。なお、本実施形態において、実施形態１における部材と同等の機能を有する部材については、同一の符号を付記して、その説明を省略する。
【００３５】
図４は、実施形態２に係る除湿機１１の外観構成を示す斜視図である。図５は、除湿機１１を組み込んだ上部収納庫１０４を斜め下方から見た斜視図である。図６の（ａ）は除湿機１１の前面パネル１２２を外した状態を示す正面図であり、図６の（ｂ）は除湿機１１を示す下面図であり、図６の（ｃ）は図６の（ｂ）のＡ−Ａ線矢視断面図である。図７は、除湿機１１の内部構造を示す縦断面図である。
【００３６】
本実施形態に係る除湿機１１は、上述の実施形態１における除湿機１に相当するものであり、図４に示すように、除湿機１の本体部２に相当する本体部１２（筐体）と、除湿機１の張出部３に相当する張出部１３（筐体）とを備えている。また、除湿機１１は、図５に示すように、上部収納庫１０４内に設置されている。
【００３７】
本体部１２は、図４および図６の（ｂ）に示すように、フレーム１２１と、前面パネル１２２と、背面パネル１２３と、底部１２４とで筐体を構成する箱状の外観を形成している。フレーム１２１は、上面部１２１ａと、当該上面部１２１ａの両端から下方へ平行に垂下する２つの側面部１２１ｂとを有している。側面部１２１ｂには、固定金具４が取り付けられている。また、側面部１２１ｂの下端縁は、底部１２４の両側端部に折り曲げられている。
【００３８】
前面パネル１２２は、フレーム１２１の前面側（張出部１３が設けられる側）に配置されており、上端縁と両側縁とでネジ締結にてフレーム１２１に固定されている。また、前面パネル１２２の下端縁の中央には、排水口７１が突出するための方形状の排出窓１２２ａが形成されている。一方、背面パネル１２３は、フレーム１２１の背面側に前面パネル１２２と対向するように配置されており、上端縁と両側縁とでネジ締結にてフレーム１２１に固定されている。
【００３９】
図６の（ｂ）および図７に示すように、底部１２４は、フレーム１２１の２つの側面部１２１ｂの下端縁の間の開放された領域を覆うように、その両端縁が側面部１２１ｂの下端縁に接続されている。底部１２４は、背面パネル１２３の下端から前方に折り曲げられた底面パネル１２４ａと、底面パネル１２４ａと結合されて送風管９の底面を兼ねる底面部１２４ｂとを有している。図５に示すように、除湿機１１は、底部１２４が上部収納庫１０４の底板１０４ｄの上面と接するように配置されている。
【００４０】
張出部１３は、張出部３と同様、上述の鏡部１０３（図１の（ａ）参照）よりも前方に張り出した部分である。張出部１３の上面は、前面パネル１２２の下端縁から前方に向けて伸びるように形成されている。張出部１３の側面は、張出部１３の上面の両端縁から下方に垂下するように形成されている。張出部１３の底面は、図５に示すように、除湿機１１が上部収納庫１０４に設置された状態で、底板１０４ｄよりも前方に位置するように形成されている。
【００４１】
張出部１３の前面は、斜め下方を向き、かつ前方に膨らむように湾曲した形状に形成されている。この張出部１３の前面には、除湿機１の吹出口３１に相当する吹出口１３１と、操作パネル１３２とが設けられている。吹出口１３１は、張出部１３の前面の幅の半分以上の幅を有しており、当該前面において左寄りに配置されている。操作パネル１３２は、張出部１３の前面において吹出口１３１の右側に配置されている。操作パネル１３２は、除湿機１１の始動および停止、タイマー設定等のユーザによる各種の操作のためのボタンや、除湿機１１の動作状態を表示するランプ等を有している。
【００４２】
図６の（ａ），（ｂ）および図７に示すように、張出部１３の内部には、送風管９の前部が配置されている。送風管９の前部は、上述の底面部１２４ｂから連続して張出部１３の内部に形成された底面部９ａと、底面部９ａの両端縁から鉛直上方に立ち上がる第１側面部９ｂおよび第２側面部９ｃとを有している。第１側面部９ｂは操作パネル１３２に近い側に設けられており、第２側面部９ｃは操作パネル１３２から遠い側に設けられている。
【００４３】
また、図６の（ｂ）に示すように、張出部１３の底面には、実施形態１の除湿機１における吸込口３３（図１の（ｂ）参照）に相当し、長方形をなす吸込口１３３が形成されている。吸込口１３３は、後述する送風管９を下方に投影した範囲内に、背面パネル１２３から前方に向けて所定の間隔をおいた位置に形成されている。この吸込口１３３には、フィルターカバー１３４が嵌め込まれている。
【００４４】
フィルターカバー１３４は、吸込口１３３と同様の長方形をなしており、洗面室に飛散する異物（洗濯物の埃や屑等）が熱交換器５に詰まらないように除去するフィルターと一体となっている。フィルターカバー１３４は、弾性的に変形可能な２つの爪１３４ａによって、張出部１３において吸込口１３３を形成する縁部に係止されている。爪１３４ａによる係止を解除してフィルターカバー１３４を開くことによって、送風管９の底面部９ａに設けられた後述するイオン発生装置１０のメンテナンスを行うことができる。また、フィルターカバー１３４には、長手方向に沿って平行に形成された複数の通気用のスリット１３４ｂが形成されている。スリット１３４ｂには、上記のフィルターが設けられている。スリット１３４ｂの一端側は、次に述べる第１分岐空間１３ｂに開口しており、スリット１３４ｂの他端側は、次に述べる第２分岐空間１３ｃに開口している。
【００４５】
図６の（ａ）〜（ｃ）に示すように、張出部１３の内部には、空気導入空間１３ａと、第１分岐空間１３ｂと、第２分岐空間１３ｃとが形成されている。空気導入空間１３ａは、外部から空気を導入する空間として、フィルターカバー１３４と送風管９の底面部９ａとの間に所定の間隔が設けられることにより形成されている。第１分岐空間１３ｂは、送風管９の第１側面部９ｂの側方に形成されており、第２分岐空間１３ｃは、送風管９の第２側面部９ｃの側方に形成されている。
【００４６】
以上のように、空気導入空間１３ａから第１分岐空間１３ｂおよび第２分岐空間１３ｃに分岐する通風経路が形成されることにより、吸込口１３３から本体部１２内の熱交換器５の前方（熱交換器５に対して空気の流れの上流側）に空気が導入される。
【００４７】
図６の（ａ）および図７に示すように、本体部１２および張出部１３には、熱交換器５と、圧縮機６と、排水受け部７と、送風機８と、送風管９と、イオン発生装置１０とが内蔵されている。
【００４８】
圧縮機６は、操作パネル１３２を後方に投影した領域の水平面の範囲において、熱交換器５、排水受け部７および送風管９の右側の側方であって、熱交換器５よりもやや後ろ側に配置されている。圧縮機６は、内部の冷媒を圧縮することにより高温高圧化して凝縮器５２に供給する。圧縮機６は、熱交換器５との間で冷媒を循環させるため、図示しない冷媒管によって熱交換器５と接続されている。なお、圧縮機６が配置される位置は、熱交換器５、排水受け部７および送風管９の左側の側方であってもよい。このような配置の場合、操作パネル１３２は、吹出口１３１の左側に配置される。
【００４９】
熱交換器５は、全体に方形をなしており、吹出口１３１を後方に投影した領域において、前面パネル１２２と所定の間隔をおいて配置されている。熱交換器５は、前面パネル１２２側に配置される蒸発器５１と、蒸発器５１の後方に配置される凝縮器５２とを有している。凝縮器５２は、送風機８により外部から吸い込まれた空気を圧縮機６からの高温押圧の冷媒によって加熱することにより、冷媒を低温化する。蒸発器５１は、凝縮器５２からの低温の冷媒を蒸発させ、蒸発の際に周囲の熱を奪うことにより、外部から吸い込まれた空気を冷やして空気中の水分を結露（凝縮分離）させて、冷媒を圧縮機６に戻す。
【００５０】
排水受け部７は、熱交換器５の下端部の近傍に配置されている。排水受け部７は、蒸発器５１で結露によって生じた水を受けて溜めるように、蒸発器５１の幅より広い幅を有するとともに、蒸発器５１の厚さより大きい奥行きを有している。排水受け部７は、その前面に、溜めた水を外部に排出するための排水口７１を有している。排水口７１は、前述のホース１０６（図１の（ｂ）参照）が接続可能となるように筒状に形成されている。
【００５１】
また、排水受け部７は、溜めた水の水位を検知するフロートによる水位検知器７２を有している。除湿機１１は、水位検知器７２が所定の水位を検知したときに、運転を停止する。これにより、ホース１０６が詰まるなどによって、排水受け部７における水位が規定値以上となったときに除湿機１１の運転を停止することで、排水受け部７から水が溢れることを防止できる。
【００５２】
送風機８は、熱交換器５の後背、すなわち熱交換器５と背面パネル１２３との間に形成される空間に配置されている。また、送風機８は、熱交換器５に対して空気の流れの下流側に熱交換器５と対向するように配置されている。送風機８は、張出部１３の吸込口１３３から吹出口１３１に至る空気の流れを生じるように、例えばシロッコファンで構成されるファン８１と、当該ファン８１を駆動するファンモータ８２と、ファン８１およびファンモータ８２を収納するファンケース８３とを有している。送風機８は、空気を熱交換器５側から吸い込んで、ファンケース８３の下部に設けられた吹出開口８３ａから送風管９に送り出す。
【００５３】
送風管９は、ファン８１の吹出開口８３ａと吹出口１３１とを接続する管状の部材であり、吹出口１３１とほぼ同じ幅を有している。送風管９は、熱交換器５および排水受け部７の下方を通るように配置されている。送風管９は、吹出開口８３ａから熱交換器５の下方の位置までの範囲で湾曲するように形成された湾曲部９１と、熱交換器５の下方の位置から吹出口１３１の付近までの範囲でほぼ直線状に形成された直線部９２と、吹出口１３１側の端に形成された吹出端部９３とを有している。吹出端部９３内には、ルーバー９４が取り付けられている。また、直線部９２と吹出端部９３との間には、送風管９への異物の進入を防ぐガード９５が設けられている。
【００５４】
ルーバー９４は、上下および水平方向に風向きを変えるように図示しないモータによって軸周りに回動するように駆動される。ルーバー９４を回動させることにより、吹出口１３１から吹き出される空気の向きを、実施形態１における洗濯物Ｌ（図３参照）の位置に応じて変更すれば、洗濯物Ｌに効率よく風を当てることができる。
【００５５】
イオン発生装置１０は、送風管９の直線部９２に着脱自在（交換可能）に取り付けられている。イオン発生装置１０は、正負の高電圧パルスを発生し、送風管９の内部において、正の高電圧パルスにより正イオンを発生するとともに、負の高電圧パルスにより負イオンを発生する。イオン発生装置１０は、所望の濃度の正イオンおよび負イオンを発生可能な装置であれば、特に上記の構成に限定されない。
【００５６】
イオン発生装置１０が発生する正イオンは、Ｈ＋（Ｈ２Ｏ）ｍ（ｍは任意の自然数）を主体とするイオンである。イオン発生装置１０が発生する負イオンは、Ｏ２−（Ｈ２Ｏ）ｎ（ｎは任意の自然数）を主体とするイオンである。
【００５７】
正イオンおよび負イオンが空気中に同時に存在すると、下記の式（１）〜式（３）に示すように化学反応して、活性酸素種である水酸基ラジカル（・ＯＨ）が効率的に生成されると考えられる。ここで、式（１）〜式（３）におけるｍ、ｎ、ｍ’およびｎ’は、それぞれ任意の自然数である。
【００５８】
Ｈ＋（Ｈ２Ｏ）ｍ＋Ｏ２−（Ｈ２Ｏ）ｎ
→・ＯＨ＋１／２Ｏ２＋（ｍ＋ｎ）Ｈ２Ｏ              …（１）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’
→２・ＯＨ＋Ｏ２＋（ｍ＋ｍ’＋ｎ＋ｎ’）Ｈ２Ｏ      …（２）
Ｈ＋（Ｈ２Ｏ）ｍ＋Ｏ２−（Ｈ２Ｏ）ｎ
→３・ＯＨ＋（ｍ＋ｎ−１）Ｈ２Ｏ      …（３）
なお、正イオンのみまたは負イオンのみを空気中に放出した場合には、水酸基ラジカルは顕著には生成されない。したがって、正イオンおよび負イオンを同時に放出することで、水分子とクラスターとを形成し、安定化した正イオンと負イオンとが相互反応し、水酸基ラジカルの生成が顕著になると考えられる。
【００５９】
上記のように構成される除湿機１１による除湿について説明する。図８は、除湿機１１内の空気の流れを示す除湿機１１の断面斜視図である。
【００６０】
まず、図６の（ｂ）、図７および図８に示すように、吸込口１３３からフィルターカバー１３４を介して吸い込まれた空気は、空気導入空間１３ａにおいて送風管９の底面部９ａに沿って第１側面部９ｂおよび第２側面部９ｃの側方に吸い寄せられ、第１分岐空間１３ｂおよび第２分岐空間１３ｃ（図８における破線矢印を参照）を通じてそれぞれ本体部１２内に導入されて合流する。
【００６１】
本体部１２内に導入された空気は、熱交換器５の蒸発器５１で冷却されることにより、水分が凝縮されて分離される。分離された水分は、蒸発器５１の表面に結露として現れて、排水受け部７に溜められる。蒸発器５１を経た空気は、熱交換器５の凝縮器５２によって加熱される。熱交換器５によって除湿された空気は、送風機８によって送り出され、送風管９内を通過した後、吹出口１３１から外部に吹き出される。
【００６２】
以上のように、本実施形態に係る除湿機１１は、本体部１２内において、熱交換器５、排水受け部７、送風機８および送風管９の側方に圧縮機６が配置され、熱交換器５の背後に送風機８が配置され、熱交換器５、排水受け部７および送風機８の下方に送風管９が配置されている。これにより、熱交換器５、圧縮機６、排水受け部７および送風管９が、本体部１２および張出部１３の内部に効率的に配置されるので、除湿機１１を小型に構成することができる。具体的には、本体部１２の高さを４００ｍｍ未満にすることが可能となり、除湿機１１を上部収納庫１０４に容易に設置することができる。
【００６３】
また、除湿機１１は、張出部１３の底面に吸込口１３３を有することにより、背面から空気を吸い込む一般的な除湿機と異なり、洗面化粧台１００の上部に配置された状態で下方より空気を吸い込むことができる。しかも、吸込口１３３が鏡部１０３よりも前に設けられているので、除湿機１１は、鏡部１０３が障害となることなく空気を吸い込むことができる。加えて、吸込口１３３は、送風管９を下方に投影した範囲内に設けられているので、送風管９の側方を回り込むようにして本体部１２に空気を導入する構造となり、除湿機１１の幅を狭くすることができる。しかも、吸込口１３３を幅の広い送風管９の下方に設けることから、吸込口１３３の幅を送風管９の幅に合わせて広く確保することができる。これにより、十分な空気の吸込み量を確保することができる。
【００６４】
また、張出部１３の前面に吹出口１３１を設けることにより、吹出口１３１の幅を極力広くすることができる。これにより、広い範囲に乾燥した空気を吹き出すことで、より多くの洗濯物の乾燥が可能となる。
【００６５】
また、除湿機１１において重量の多くを占める熱交換器５、圧縮機６および送風機８が、本体部１２内に配置されている。これにより、除湿機１１の重心が、除湿機１１が設置される上部収納庫１０４の底板１０４ｄの上方に位置するので、除湿機１１を上部収納庫１０４内の後端に寄せて安定して設置することができる。
【００６６】
また、排水受け部７によって、溜まった水を排水口７１からホース１０６を介して外部に排出することができる。これにより、一般的な除湿機のように排水を溜めるタンクを除湿機１１内に設ける必要がなくなるので、除湿機１１の小型化を図ることができる。また、排水受け部７が熱交換器５と送風管９との間の限られた空間に配置されることにより、除湿機１１の小型化を図ることができる。
【００６７】
また、送風管９内でイオンを発生するイオン発生装置１０を設けることにより、吹出口１３１から排出される空気とともにイオンを洗面室に拡散させることができる。これにより、洗面室の浄化を図るだけでなく、洗濯物の脱臭や除菌を図ることができる。
【００６８】
〔実施形態３〕
本発明の実施形態３について図９〜図１４を用いて説明すれば、以下のとおりである。なお、本実施形態において、実施形態１および２における部材と同等の機能を有する部材については、同一の符号を付記して、その説明を省略する。
【００６９】
図９は、実施形態３に係る除湿機２１の外観構成を示す斜視図である。図１０は、除湿機２１を組み込んだ上部収納庫１０４を斜め下方から見た斜視図である。図１１の（ａ）は除湿機２１の前面パネル２２２を外した状態を示す正面図であり、図１１の（ｂ）は除湿機２１を示す下面図である。図１２は、除湿機１１の内部構造を示す縦断面図である。
【００７０】
本実施形態に係る除湿機２１は、上述の実施形態１における除湿機１に相当するものであり、図９に示すように、除湿機１の本体部２に相当する本体部２２と、除湿機１の張出部３に相当する張出部２３とを備えている。また、除湿機２１は、本体部２２の両側に配置される２つの空気導入部材２４を備えている。また、除湿機２１は、図１０に示すように、上部収納庫１０４内に設置されている。
【００７１】
本体部２２は、図９および図１１の（ｂ）に示すように、フレーム２２１と、前面パネル２２２と、底面部２２３とで筐体を構成する箱状の外観を形成している。フレーム２２１は、上面部２２１ａと、当該上面部２２１ａの両端から下方へ平行に垂下する２つの側面部２２１ｂと、上面部２２１ａの後端から下方へ垂下する背面部２２１ｃと、背面部２２１ｃの下端から前方に折り曲げられた底面部２２１ｄとを有している。側面部２２１ｂには、固定金具４が取り付けられている。上面部２２１ａと背面部２２１ｃとの境界部分は、湾曲形状に形成されている。これにより、上部収納庫１０４への除湿機２１の設置作業を容易に行うことができる。
【００７２】
前面パネル２２２は、フレーム２２１の前面側（張出部２３が設けられる側）に配置されており、上端縁と下側縁とでネジ締結等にてフレーム２２１に固定されている。また、前面パネル２２２の下端縁の中央には、排水口７１が突出するための排出窓２２２ａが形成されている。
【００７３】
底面部２２３は、送風管９の底面を兼ねる部分であり、フレーム２２１の底面部２２１ｄと結合されている。底面部２２３とフレーム２２１の底面部２２１ｄとは、本体部２２における底部２２４を形成している。図１０に示すように、除湿機２１は、底部２２４が上部収納庫１０４の底板１０４ｄの上面と接するように配置されている。
【００７４】
空気導入部材２４は、側面部２２１ｂにおける前側（前面パネル２２２の近傍）に取り付けられている。空気導入部材２４は、筒状の部材であり、下端に方形をなす吸込側開口２４ａと、一方の側部に縦長の形状をなす本体側開口２４ｂとを有している。空気導入部材２４は、吸込側開口２４ａから本体側開口２４ｂ（熱交換器５に対して空気の流れの上流側）に至る空気の導入路を形成している。側面部２２１ｂには、空気導入部材２４を介して外部から空気を取り込むために、本体側開口２４ｂと合致する形状の切欠きが形成されている。空気導入部材２４の形状は特に限定されないが、空気を効率的に導入できる形状が好ましい。例えば空気導入部材２４は、図９に示すように、上端部の片側が湾曲するような外形をなしていてもよい。これにより、空気をよどむことなく円滑に本体部２２内に導入することができる。
【００７５】
張出部２３は、実施形態１の除湿機１における張出部３（図１の（ｂ）参照）と同様、鏡部１０３（図１の（ａ）参照）よりも前方に張り出した部分である。図９に示すように、張出部２３は、上側が開放されており、送風管９の一部を露出させている。
【００７６】
張出部２３は、前面、側面および底面を有している。張出部２３の前面は、斜め下方を向き、かつ前方に膨らむように湾曲した形状に形成されている。この張出部２３の前面には、除湿機１の吹出口３１に相当する吹出口２３１と、操作パネル２３２とが設けられている。吹出口２３１は、送風管９とほぼ同じ幅を有しており、当該前面において中央に配置されている。操作パネル２３２は、張出部２３の前面において吹出口２３１の右側に配置されている。操作パネル２３２は、実施形態１の除湿機１１が有する操作パネル１３２と同等の機能を備えている。
【００７７】
また、張出部２３は、前面の幅が変更可能となるように構成されている。例えば、張出部２３は、前面および底面の一部が吹出口２３１よりも左側の領域において（例えば図１１（ｂ）の破線にて示す位置で）左右に２分割されており、分割された両部の一方に対して他方がスライド自在となるように両部が結合されることにより、前面の幅を調整することができる。張出部２３の前面は、２つの空気導入部材２４が少なくとも本体部２２の両側に配置できる幅を有していればよい。図９には、前面が最も広げられた状態を示している。これにより、張出部２３の前面の幅を、上部収納庫１０４の幅に応じて適した幅に調整することができる。それゆえ、除湿機２１の機種を上部収納庫１０４の幅に応じて個別に用意する必要がなくなり、機種の統一化を図ることができる。
【００７８】
張出部２３の側面は、前面からフレーム２２１の前端位置の近傍に達する範囲に形成されている。張出部２３の底面は、側面の長さと同じ幅を有しており、図１０に示すように、除湿機２１が上部収納庫１０４に設置された状態で、底板１０４ｄよりも前方に位置するように形成されている。また、図１１の（ｂ）に示すように、張出部２３の底面には、上述の除湿機１における吸込口３３に相当し、長方形をなす吸込口２３３が形成されている。吸込口２３３は、空気導入部材２４の吸込側開口２４ａの一部と重なるように、フレーム２２１の後端面から所定の間隔をおいた位置に形成されている。
【００７９】
また、吸込口２３３には、フィルターが装着されたフィルターカバー２３４が取り外し自在となるように設けられている。洗面室に飛散する異物（洗濯物の埃や屑等）が熱交換器５に詰まらないように、フィルターカバー２３４のフィルターによって吸込口２３３で異物を除去する。
【００８０】
張出部２３は、拡張部２３ａを有している。拡張部２３ａは、吸込口２３３の後端側に対して本体部２２の側面（側面部２２１ｂ）に沿って突出するように形成されている。この拡張部２３ａは、空気導入部材２４の下端部の後ろ側を保持するために設けられている。
【００８１】
図１１の（ａ）および図１２に示すように、本体部２２および張出部２３には、実施形態２の除湿機１１と同様に、熱交換器５と、圧縮機６と、排水受け部７と、送風機８と、送風管９と、イオン発生装置１０とが内蔵されている。熱交換器５、圧縮機６、排水受け部７、送風機８、送風管９およびイオン発生装置１０の除湿機２１における配置は、除湿機１１におけるこれらの配置と同じであるので、ここでは、その説明を省略する。
【００８２】
上記のように構成される除湿機２１による除湿について説明する。図１３は、除湿機１１内の空気の流れを示す除湿機１１の断面斜視図である。
【００８３】
まず、図１１の（ｂ）、図１２および図１３に示すように、本体部２２の両側において吸込口２３３および空気導入部材２４の吸込側開口２４ａから吸い込まれた空気は、２つの空気導入部材２４を通じて本体側開口２４ｂから本体部２２内に導入されて合流する。本体部２２内に導入された空気は、実施形態２において図７を参照して説明したのと同様に、熱交換器５によって除湿された後、送風機８を経て、送風管９内を通過した後、吹出口２３１から外部に吹き出される。このように、除湿機２１においては、図１２および図１３において破線矢印にて示す経路で空気が流れていく。
【００８４】
以上のように、本実施形態に係る除湿機２１は、本体部２２内において、熱交換器５、排水受け部７、送風機８および送風管９の側方に圧縮機６が配置され、熱交換器５の背後に送風機８が配置され、熱交換器５、排水受け部７および送風機８の下方に送風管９が配置されている。これにより、熱交換器５、圧縮機６、排水受け部７および送風管９が、本体部２２および張出部２３の内部に効率的に配置されるので、実施形態１の除湿機１１と同様、除湿機２１を小型に構成することができる。これにより、除湿機２１を上部収納庫１０４に容易に設置することができる。
【００８５】
また、除湿機２１は、張出部２３の底面に吸込口２３３を有することにより、背面から空気を吸い込む一般的な除湿機と異なり、洗面化粧台１００の上部に配置された状態で下方より空気を吸い込むことができる。しかも、吸込口２３３が鏡部１０３よりも前に設けられているので、除湿機２１は、鏡部１０３が障害となることなく空気を吸い込むことができる。
【００８６】
また、張出部２３の前面に吹出口２３１を設けることにより、吹出口２３１の幅を極力広くすることができる。これにより、広い範囲に乾燥した空気を吹き出すことで、より多くの洗濯物の乾燥が可能となる。
【００８７】
また、除湿機２１において重量の多くを占める熱交換器５、圧縮機６および送風機８が、本体部２２内に配置されている。これにより、除湿機２１の重心が、除湿機２１が載置される上部収納庫１０４の底板１０４ｄの上方に位置するので、除湿機２１を上部収納庫１０４内の後端に寄せて安定して設置することができる。
【００８８】
また、排水受け部７によって、溜まった水を排水口７１からホース１０６を介して外部に排出することができる。これにより、排水を溜めるタンクが不要となり、除湿機２１の小型化を図ることができる。また、排水受け部７が熱交換器５と送風管９との間の限られた空間に配置されることにより、除湿機２１の小型化を図ることができる。
【００８９】
また、イオン発生装置１０を設けることにより、吹出口２３１から排出される空気とともにイオンを洗面室に拡散させることができる。これにより、洗面室の浄化を図るだけでなく、洗濯物の脱臭や除菌を図ることができる。
【００９０】
また、本体部２２の両側に取り付けられる空気導入部材２４を設けることにより、部品として空気導入部材２４を用意することができる。これにより、本体部２２および張出部２３の内部構造を変更することなく、効率的に空気を導入することができる構造に改良された最新の空気導入部材２４を用いることができる。
【００９１】
〈変形例〉
ここで、上述の除湿機２１を用いた変形例について説明する。図１４は、本変形例に係る玄関収納庫３００の内部構造を示す正面図である。
【００９２】
図１４に示すように、玄関収納庫３００（乾燥システム）は、箱体３０１（収納庫）と、箱体３０１の内部に設けられた複数段の棚３０２と、除湿機２１と同等の機能を有する除湿機２１Ａとを備えている。箱体３０１は、天板と、天板に対向する底板と、天板と底板との間で互いに平行に設けられた側板と、背面板と、前面に設けられた図示しない開閉扉とで構成されている。
【００９３】
除湿機２１Ａは、玄関収納庫３００の最下段に配置されている。除湿機２１Ａは、ケース２３０（筐体）を有しており、図示はしないが、ケース２３０内に、上述の熱交換器５、圧縮機６、送風機８および送風管９を収納している。ケース２３０内における熱交換器５、圧縮機６および送風機８の配置については、除湿機２１内におけるこれらの配置と同様である。ただし、送風管９の配置については、吹出口２３１が下方に向くように配置されていることが、除湿機２１と異なっている。
【００９４】
また、除湿機２１Ａは、ケース２３０の両側方にそれぞれ向いた少なくとも２つの吸込口２３３を有しており、一方の吸込口２３３を玄関収納庫３００内に向け、他方の吸込口２３３を箱体３０１の一方の側板に向けるように配置されることが、除湿機２１と異なっている。両方の吸込口２３３には筒状の空気導入部材２５が取り付けられており、側板に向いた吸込口２３３に取り付けられた空気導入部材２５は、当該側板を貫通して外部に開口している。
【００９５】
上記のように構成される玄関収納庫３００においては、両方の吸込口２３３から吸い込まれた玄関収納庫３００の内外の空気を除湿して吹出口２３１から吹き出す。この空気は、底板に当たって矢印で示すように天板に向けて上昇した後に下降するように玄関収納庫３００内を循環していくとともに、天板、底板および両側板からなる枠体と開閉扉との隙間を通じて外部に排出される。
【００９６】
これにより、玄関収納庫３００内に収納された靴や傘を乾燥させることができるとともに、玄関の乾燥も行うことができる。また、除湿機２１Ａから放出されるイオンが玄関収納庫３００内に行き渡ることによって、靴の除菌および脱臭も行うことができる。しかも、玄関収納庫３００内の空気が外部に排出される流れが生じるので、庫内に臭いがこもらなくなる。
【００９７】
従来の玄関収納庫の除湿は庫内のみに行われていたが、本変形例に係る玄関収納庫３００では、１台の除湿機２１Ａによって、庫内のみならず、庫外の玄関も乾燥することができる。これにより、特に雨天時や外気の湿度が高いときに湿気がこもりやすい玄関および玄関収納庫３００内の除湿を効果的に行うことができる。
【００９８】
なお、上述の吹出口２３１は下方に向いているが、これに限らず、吹出口２３１は下方以外の上方などに向いていてもよい。
【００９９】
〔まとめ〕
本発明の態様１に係る除湿機は、外部より吸い込んだ空気を熱交換することにより除湿する熱交換器５と、前記熱交換器５に圧縮した冷媒を供給する圧縮機６と、前記熱交換器５によって除湿された空気を外部に導く送風管９と、前記熱交換器５へ空気を吸い込んで前記送風管９へ送り出す空気の流れを生じさせる送風機８と、前記熱交換器５、前記圧縮機６、前記送風機８および前記送風管９を収納する筐体（本体部２，１２，２２および張出部３，１３，２３）とを備え、前記送風機８は、前記熱交換器５に対して空気の流れの下流側に前記熱交換器５と対向するように配置され、前記送風管９は、前記熱交換器５および前記送風機８の下方に配置され、前記圧縮機６は、前記熱交換器５、前記送風機８および前記送風管９の側方に配置され、前記筐体の底面には、外部より空気を吸い込む吸込口３３，１３３，２３３が形成され、前記筐体の前面には、前記送風管９に送り出された空気を前記吸込口３３，１３３，２３３より前方で吹き出す吹出口３１，１３１，２３１が形成されている。
【０１００】
上記の構成によれば、熱交換器５、圧縮機６、送風機８および送風管９が、筐体の内部に効率的に配置されるので、除湿機を特に高さを抑えて小型に構成することができる。また、筐体の底面に吸込口３３，１３３，２３３を有することにより、背面から空気を吸い込む一般的な除湿機と異なり、壁際の上方に配置された状態で下方より空気を吸い込むことができる。また、筐体の前面に吹出口３１，１３１，２３１を設けることにより、吹出口３１，１３１，２３１の幅を極力広くすることができる。これにより、広い範囲に乾燥した空気を吹き出すことで、より多くの洗濯物の乾燥が可能となる。よって、洗面室等の上方に配置される収納庫に効率的に除湿機を収納することができる。
【０１０１】
本発明の態様２に係る除湿機は、上記態様１において、前記吸込口３３，１３３，２３３は、前記筐体の後端面から前方に間隔をおいた位置に形成されていてもよい。
【０１０２】
上記の構成によれば、洗面化粧台等の構造物の上に除湿機を設置する場合、当該構造物を避けるように吸込口３３，１３３，２３３を設けることができる。これにより、除湿機は、構造物が障害となることなく、空気を吸い込むことができる。
【０１０３】
本発明の態様３に係る除湿機は、上記態様１または２において、前記熱交換器５と前記送風管９との間に配置され、前記熱交換器５による除湿によって生じた排水を受ける排水受け部７をさらに備え、前記排水受け部７はホース１０６を接続可能な排水口７１を有していてもよい。
【０１０４】
上記の構成によれば、排水受け部７に溜まった水を排水口からホース１０６を介して外部に排出することができる。これにより、一般的な除湿機のように排水を溜めるタンクを除湿機内に設ける必要がなくなるので、除湿機の小型化を図ることができる。また、排水受け部７が熱交換器５と送風管９との間の限られた空間に配置されることにより、除湿機の小型化を図ることができる。
【０１０５】
本発明の態様４に係る除湿機は、上記態様１から３のいずれかにおいて、前記吸込口３３，１３３，２３３は、前記送風管９を下方に投影した範囲内に形成され、前記筐体には、前記吸込口３３，１３３，２３３から前記送風管９の側方を経て前記熱交換器５に対して空気の流れの上流側に通じる通風経路が形成されていてもよい。
【０１０６】
上記の構成によれば、吸込口３３，１３３，２３３から吸い込まれた空気は、送風管９の側方を回り込むようにして筐体の内部の熱交換器５に対して空気の流れの上流側に導入される。また、吸込口３３，１３３，２３３は、送風管９の側方に張り出さないので、吸込口３３，１３３，２３３によって除湿機の幅が広がることはない。したがって、除湿機の幅を送風管９の幅で規定することができ、除湿機の小型化を容易に図ることができる。
【０１０７】
本発明の態様５に係る除湿機は、上記態様１から３のいずれかにおいて、前記筐体の側方において、前記吸込口３３，１３３，２３３から前記熱交換器５に対して空気の流れの上流側に通じる通風経路を形成する空気導入部材をさらに備えていてもよい。
【０１０８】
上記の構成によれば、筐体の外部に設けられた空気導入部材２４によって空気を導入することにより、筐体とは別体の部品として空気導入部材２４を用意することができる。これにより、筐体の内部構造を変更することなく、効率的に空気を導入することができる構造に改良された最新の空気導入部材２４を用いることができる。
【０１０９】
本発明の態様６に係る乾燥システムは、態様１から５のいずれかの除湿機と、前記除湿機を少なくとも前記吸込口３３，１３３，２３３を開放した状態で載置する底板１０４ｄを有する収納庫（上部収納庫１０４）とを備えている。
【０１１０】
上記の構成によれば、吸込口３３，１３３，２３３が開放されているので、下方からの空気の吸込みが阻害されることがない。したがって、収納庫を上方に設置することができる。
【０１１１】
本発明の態様７に係る乾燥システムは、態様６において、前記除湿機は前記収納庫の内部における後ろ側に配置され、前記収納庫の内部における前記送風管９よりも上方の前側に収納空間ＣＬが形成されていてもよい。
【０１１２】
上記の構成によれば、除湿機が収納庫の後ろ側に配置されているので、収納庫全体の重心が後ろ側に位置することになり、収納庫を安定して壁や洗面化粧台等の上部に設置することができる。また、収納庫内の除湿機が設置されない領域に収納空間ＣＬが形成されるので、除湿機能を備えた収納庫を効率的に利用することができる。
【０１１３】
本発明の態様８に係る乾燥システムは、態様６または７において、前記収納庫は、前記除湿機の前記吹出口３１，１３１，２３１の前方に前記吹出口３１，１３１，２３１から所定の間隔をおいて配置された物干し棒１０４ｈを有していてもよい。
【０１１４】
上記の構成によれば、物干し棒１０４ｈに吊り下げられた洗濯物を吹出口から吹き出された乾燥空気によって効率よく乾燥させることができる。
【０１１５】
本発明の態様９に係る乾燥システムは、除湿機２１Ａと、前記除湿機２１Ａを内蔵する収納庫（箱体３０１）とを備え、前記除湿機２１Ａは、外部より吸い込んだ空気を熱交換することにより除湿する熱交換器５と、前記熱交換器５に圧縮した冷媒を供給する圧縮機６と、前記熱交換器５によって除湿された空気を外部に導く送風管９と、前記熱交換器５へ空気を吸い込んで前記送風管９へ送り出す空気の流れを生じさせる送風機８と、前記熱交換器５、前記圧縮機６、前記送風機８および前記送風管９を収納する筐体（箱体３０１）とを備え、前記送風機８は、前記熱交換器５に対して空気の流れの下流側に前記熱交換器５と対向するように配置され、前記送風管９は、前記熱交換器５および前記送風機８の下方に配置され、前記圧縮機６は、前記熱交換器５、前記送風機８および前記送風管９の側方に配置され、前記筐体には、外部より空気を吸い込む吸込口２３３が少なくとも２つ形成され、前記筐体には、前記送風管９に送り出された空気を吹き出す吹出口２３１が形成されており、前記吸込口２３３の一方が前記収納庫の外部から空気を吸い込み、前記吸込口２３３の他方が前記収納庫の内部で空気を吸い込み、前記吹出口２３１が前記収納庫の内部で空気を吹き出す。
【０１１６】
上記の構成によれば、両方の吸込口２３３から吸い込まれた収納庫の内外の空気を除湿して吹出口２３１から吹き出す。この空気は、収納庫内を循環していくだけでなく、収納庫の隙間を通じて外部に排出される。これにより、収納庫内に収納された物品（収納庫が玄関収納庫である場合は靴や傘）を乾燥させることができるとともに、収納庫が設置された空間の乾燥も行うことができる。
【０１１７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１８】
１，１１，２１，２１Ａ  除湿機
２，１２，２２  本体部（筐体）
３，１３，２３  張出部（筐体）
５  熱交換器
６  圧縮機
７  排水受け部
８  送風機
９  送風管
１３ａ  空気導入空間（通風経路）
１３ｂ  第１分岐空間（通風経路）
１３ｃ  第２分岐空間（通風経路）
２４  空気導入部材
３１，１３１，２３１  吹出口
３３，１３３，２３３  吸込口
１００  洗面化粧台（乾燥システム）
１０４  上部収納庫（収納庫）
１０４ｄ  底板
１０４ｈ  物干し棒
１０６ホース
２３０  ケース（筐体）
３００  玄関収納庫（乾燥システム）
３０１  箱体（収納庫）
【図１】
2017223403.tif 000003
【図２】
2017223403.tif 000004
【図３】
2017223403.tif 000005
【図４】
2017223403.tif 000006
【図５】
2017223403.tif 000007
【図６】
2017223403.tif 000008
【図７】
2017223403.tif 000009
【図８】
2017223403.tif 000010
【図９】
2017223403.tif 000011
【図１０】
2017223403.tif 000012
【図１１】
2017223403.tif 000013
【図１２】
2017223403.tif 000014
【図１３】
2017223403.tif 000015
【図１４】
2017223403.tif 000016